(57)【要約】【課題】従来の刈取収穫機では、刈刃の前方に分草具があるため、刈取作業中は、刈刃よりも分草具が先に畦際に達することになり、刈刃と分草具先端との距離分だけはどうしても畦際の枕地穀稈を刈り取ることができない問題があった。この発明は、分草具の前方に第２刈刃を設けることによって問題解決を図らんとするものである。【解決手段】本発明は、第１刈刃７の前方に複数の分草具５…を突設してある刈取部において、各分草具の前方に第２刈刃１５を設け、この第２刈刃の刈取幅Ａを刈取部の左右両端部に位置する左右分草具間の分草幅Ｂよりも広くしてあることを特徴とする。【選択図】　　　　図３
2004065075.tif 000002
【特許請求の範囲】
【請求項１】
第１刈刃の前方に複数の分草具を突設してある刈取部において、各分草具の前方に第２刈刃を設け、この第２刈刃の刈取幅Ａを刈取部の左右両端部に位置する左右分草具間の分草幅Ｂよりも広くしてあることを特徴とする刈取収穫機。
【請求項２】
前記第２刈刃は、刈取作用状態と非刈取作用状態とに切換え可能に構成してあることを特徴とする請求項１記載の刈取収穫機。
【請求項３】
前記第２刈刃は、刈取部の両側方に設ける支持ア−ムによって支持するように構成してあることを特徴とする請求項１又は請求項２記載の刈取収穫機。
【発明の詳細な説明】
【０００１】
【発明の属する技術分野】
本発明は、圃場に植立する穀稈を刈り取って収穫するコンバインやバインダ−等の刈取収穫機に関し、農業機械の技術分野に属する。
【０００２】
【従来の技術】
通常、刈刃の前方には複数個の分草具が突設され、この各分草具間内に導入された穀稈のみ刈刃によって刈り取るようになっている。
【０００３】
【発明が解決しようとする課題】
従来のものでは、刈取作業中は、刈刃よりも分草具が先に畦際に達するため、刈刃と分草具先端との距離分だけはどうしても畦際の枕地穀稈を刈り取ることができない問題があった。
【０００４】
この発明は、分草具の前方に第２刈刃を設けることによって問題解決を図らんとするものである。
【０００５】
【課題を解決するための手段】
本発明は、上述した課題を解決するために、次の如き技術手段を講じた。すなわち、請求項１記載の本発明は、第１刈刃の前方に複数の分草具を突設してある刈取部において、各分草具の前方に第２刈刃を設け、この第２刈刃の刈取幅Ａを刈取部の左右両端部に位置する左右分草具間の分草幅Ｂよりも広くしてあることを特徴とする。
【０００６】
畦際での枕刈り作業を行う場合には、第２刈刃を分草具の前方にセットする。そして、第２刈刃が畦際近くに達するまで機体を進行させれば、畦際の枕地穀稈を確実に刈り取ることができる。
請求項２記載の本発明は、前記請求項１の発明において、前記第２刈刃は、刈取作用状態と非刈取作用状態とに切換え可能に構成してあることを特徴とする。
【０００７】
畦際での枕刈り作業を行う場合には、第２刈刃を分草具前方の刈取作用状態位置に切り換えてセットする。通常の刈取作業を行う場合には、第２刈刃を分草具前方の刈取作用状態位置から圏外上方の非刈取作用状態位置に切換セットする。このように第２刈刃の切り換えによって枕刈り作業と通常の刈取作業を容易に行うことができ、作業能率を高めることができる。
【０００８】
請求項３記載の本発明は、前記請求項１又は請求項２の発明において、前記第２刈刃は、刈取部の両側方に設ける支持ア−ムによって支持するように構成してあることを特徴とする。
分草具の前方に設ける第２刈刃は、刈取部の両側方に設ける支持ア−ムによって支持するようにしたので、枕刈り作業中、この支持ア−ムが刈り取る穀稈に影響を与えることがなく、枕刈り穀稈を支障なく第１刈刃側に受け入れて搬送処理することができる。
【０００９】
【発明の効果】
請求項１の発明によれば、枕刈り作業時には、第２刈刃を分草具の前方にセットすることで、第２刈刃を畦際近くまで移動させることができて、畦際の枕地穀稈を確実に刈り取ることができる。また、第２刈刃は、分草幅より広くしてあるので、刈取範囲外の未刈稈を分草具で押し倒すことがない。
【００１０】
請求項２の発明によれば、請求項１の発明による効果を奏するものでありながら、枕刈り作業と通常の刈取作業を容易に行うことができ、作業能率を高めることができる。
また、請求項３の発明によれば、前記請求項１又は請求項２の発明による作用効果を奏するものでありながら、第２刈刃を刈取部の両側方に設ける支持ア−ムによって支持するので、この支持ア−ムが刈り取る穀稈に影響を与えることがなく、枕刈り穀稈を支障なく受け入れて所定位置に搬送処理することができる。
【００１１】
【発明の実施の形態】
以下、本発明の実施例を図面に基づいて具体的に説明する。
図１〜図３は、刈取収穫機の一例としてコンバインの構成例を示している。このコンバインの走行車体１は、接地部側に走行クロ−ラ２、２を有し、上部にはフイ−ドチエン３ａを有する脱穀装置３を搭載している。そして、走行車体１の前方には、穀稈を引起し刈取って前記脱穀装置３に搬送供給する刈取部４を昇降可能に装備している。
【００１２】
刈取部４は、圃場に植立された穀稈を分草する複数個の分草具５，５…と、各分草具５，５…間に導入された穀稈を株元側から穂先側に作用させて引き起す引起し装置６と、引起し後の穀稈を刈り取る第１刈刃装置（以下第１刈刃と云う）７と、刈取後の穀稈を揚上搬送して前記脱穀装置３に受渡し供給する搬送装置８等からなる。
【００１３】
前記分草具５は、刈取部の左右両側端に配置する左右の大分草具５ａ，５ｂとこれらの中間に配置する中央の大分草具５ｃと、左側の大分草具５ａと中央の大分草具５ｃ間、及び、右側の大分草具５ｂと中央の大分草具５ｃ間に配置する小分草具５ｄ，５ｅとによって構成される。
【００１４】
運転部９は、ステップフロアの前端部から立設するフロント操作ボックス１０や、ステップフロアの後端部から上方に立設の支持部材上に装置した運転席１１、この運転席１１の左横側部に設置されたサイド操作ボックス１２等からなる。
前記運転席１１の下方にはエンジンが搭載され、該エンジンから刈取部４及び脱穀装置３を駆動し、且つ、走行ミッションケ−ス内のミッション装置を介して前記走行クロ−ラ２、２を駆動する構成になっている。
【００１５】
運転部９の後方で脱穀装置３の横側部にはグレンタンク１３が搭載されている。１４は穀粒排出オ−ガである。
分草具５の前方には第２刈刃（装置）１５を設け、分草具５の先端より先行させて畦際の枕地穀稈を刈り取るように構成している。第２刈刃１５は、この刈取幅Ａが刈取部の左右両端部に位置する左右分草具５ａ，５ｂ間の分草幅Ｂよりも広くなるように広幅に構成している。また、第２刈刃１５は、刈取作用状態（イ）と図１の仮想線で示す非刈取作用状態（ロ）とに切換変更できるように構成してあり、しかも、該第２刈刃の左右両端部は刈取部の左右両側方位置に設けた支持ア−ム１６，１６によって支持するように構成してある。そして、この支持ア−ム１６，１６は、機体側から突設した横軸芯Ｐ周りに上下動する構成であり、油圧伸縮駆動装置１７の伸縮作動によりリンクア−ム１８を介して上下動させ、第２刈刃１５を刈取作用状態と非刈取作用状態とに切換変更する構成としている。
【００１６】
なお、図１に示す実施例では、非刈取作業時には第２刈刃１５を引起し装置６の上方に収納する構成としている。
左側の支持ア−ム１６には、これをケ−ス状に構成して内部に伝動チエン１９を架設してあり、前記第１刈刃７への駆動軸２０から引起し装置６への伝動経路途中部より取り出した横伝動軸２１によって前記伝動チエン１９を回転駆動するように連動構成し、そして、該伝動チエン１９から往復揺動駆動機構２２を介して前記第２刈刃１５を駆動する構成としている。
【００１７】
図５及び図６に示す実施例では、主として分草具５と引起し装置６等からなる引起しユニット部ＨＵを、上部の左右横方向に架設された支軸２３を支点として上方に持ち上げ、搬送装置８の上方部に反転収納させる構成とすることにより、第１刈刃７が刈取部の最前端部に位置するようにし、畦際の枕地穀稈をこの第１刈刃７によって容易に刈り取ることができるよう構成している。
【００１８】
引起しユニット部ＨＵの反転収納時は、このユニット部の先端部を脱穀装置３の上部機枠から突設した支持枠２４上に載置して保持するように構成している。このように反転時の引起しユニット部は、強固に枠組み構成された脱穀機枠によって保持するようになるため、引起しユニット部を持ち上げ反転駆動する駆動装置が過大な力を長時間保持する必要がなくなり、強度並びに耐久性の向上を図ることができる。
【００１９】
図７及び図８に示す実施例は、引起しユニット部ＨＵの上昇操作に起因して脱穀フイ−ドチエン３ａの挟持杆３ｂが離間方向に上昇し、引起しユニット部ＨＵが下降して元位置に復帰収納されると、前記挟持杆３ｂは元の挟持位置に復帰するように関連構成している。
【００２０】
要するに、枕刈り作業時において、引起しユニット部ＨＵを上昇させ、第１刈刃７を先行させながら刈り取る。そして、以後、掻込スタ−ホイル３０、根元・穂先搬送搬送装置８だけで掻込搬送するようにすると、搬送姿勢が乱れて脱穀装置３のフイ−ドチエン３ａへの引継ぎがうまくいかず、扱ぎ残しが発生する。これを防止するため、搬送終端部にまで搬送されてきた穀稈をフイ−ドチエンで挟持搬送しないように挟持杆３ｂを離間させ、搬送穀稈の全部を扱室内へ引き込ませるようにし、全稈投入により扱ぎ残しを防止するにしてある。なお、図８において、制御部３１の入力側には、引起しユニット上げスイッチ３２及び引起しユニット下げ収納スイッチ３３が設けられ、また、制御部３１の出力側には挟持杆上下モ−タ３４が設けられている。挟持杆３ｂを上下動させるモ−タ３４は、これの正逆転駆動により、揺動ア−ム３４と昇降ロッド３５を介して挟持杆３ｂがフイ−ドチエン３ａに対して遠近方向に上下動するよう連動構成している。従って、引起しユニット部ＨＵを昇降駆動装置により所定位置まで上昇させると、引起しユニット上げスイッチ３２がＯＮ動作し、モ−タ３４が回転駆動されて挟持杆３ｂが上昇する。また、引起しユニット部ＨＵを下降させて元位置に復帰収納させると、引起しユニット下げ収納スイッチ３３がＯＮ作動することで、モ−タ３４が逆転駆動され挟持杆３ｂは元位置に下降する。
【００２１】
また、図９〜図１１に示す実施例では、引起しユニット部ＨＵの上昇操作に起因して扱深さ調節装置３７を浅扱ぎ側（浅扱ぎ位置Ｓｈ）から深扱ぎ側（深扱ぎ位置Ｄｅ）に移動調節し、引起しユニット部ＨＵの下降操作により元位置に復帰収納させると、前記扱深さ調節装置３７が元の扱深さ位置に自動復帰するよう連動させた構成としている。つまり、図１１に示すように、引起しユニット部ＨＵを昇降駆動装置により所定位置まで上昇させると、引起しユニット上げスイッチ３２がＯＮ動作し、扱深さ調節モ−タ３８が回転駆動されて扱深さ調節装置３７が深扱ぎ側に移動調節される。引起しユニット部ＨＵを下降させて元位置に復帰収納させると、引起しユニット下げ収納スイッチ３３がＯＮ作動することで、扱深さ調節モ−タ３８が逆転駆動され扱深さ調節装置３７は所定の扱深さ状態に自動復帰する。従って、枕刈り作業時には、扱深さ調節装置を深扱ぎ側に移動調節するので、刈取穀稈の搬送姿勢に乱れがあっても、扱室内へは常に深扱ぎ状態にて供給されることになって扱ぎ残しを防止することができる。
【００２２】
図１２〜図１４に示す実施例は、引起しユニット部ＨＵを横方向の支軸２３周りに昇降させるものにおいて、この引起しユニット部ＨＵの昇降駆動は、電磁ブレ−キ付昇降モ−タ３９によって昇降駆動する構成としている。電動モ−タにブレ−キを一体で構成し、電動モ−タ非通電時においてブレ−キをかけるように構成することで、引起しユニット部ＨＵを任意の位置で容易且つ確実にロック保持することができる。なお、図１４において、引起しユニット上げスイッチ３２をＯＮ操作すると、電磁ブレ−キ付昇降モ−タ３９が回転駆動されて引起しユニット部ＨＵは所定位置まで上昇する。引起しユニット下げスイッチ３３をＯＮ操作すると、電磁ブレ−キ付昇降モ−タ３９の逆転駆動により引起しユニット部ＨＵが下降して元位置に復帰収納される。
【００２３】
また、図１５及び図１６に示すように、引起しユニット部ＨＵを通常の刈取作業状態位置に収納セットした時には、この引起しユニットを刈取フレ−ム４０に対してロックするためのロック装置４１を作動させてロックするように構成することが望ましく、引起しユニット部ＨＵが刈取作業時における外力によって刈取フレ−ムから離脱するのを防止することができる。
【００２４】
ロック装置４１は、刈取フレ−ム４０から突設するステ−４２に固着されたロックピン４３と、軸４４周りに回動自在で前記ロックピン４３に係合してロックする状態とロックピンから離脱してロック解除する状態とに切替可能なロックア−ム４５と、このロックア−ム４５をリンク機構４６を介して切替作動させるロックモ−タ４７とからなる。
【００２５】
図１７において、引起しユニット部ＨＵを上昇操作するとき、制御部３１の入力側に設けられた引起しユニット上げスイッチ４８がＯＮ動作すると、ロックモ−タ４７が回転駆動され、ロックア−ム４５がロックピン４３から離脱してロック状態が解除される。そして、引起しユニット部ＨＵの下降操作により、この引起しユニット部が通常の刈取作業状態位置に収納された時には、引起しユニット収納検出スイッチ４９がＯＮ作動し、引起しユニットロックモ−タ４７の逆転駆動により、ロックア−ム４５がロックピン４３に係合してロック状態となる。
【００２６】
図１８〜図２０に示す実施例は、引起し装置６を回転駆動するための駆動装置として、タンク一体型ＨＳＴ（油圧無段変速装置）５０を利用して駆動する構成としている。そして、このＨＳＴ５０は、第１刈刃７への駆動軸２０と引起し装置６への引起し駆動軸５２との間の伝動経路中に設置するが、該ＨＳＴの冷却フアン５１からの冷却風が運転席１１側とは反対側に向けて排風されるように引起し装置６上部の左側横側部に設置した構成としている。また、このＨＳＴ５０の変速操作は、フロント操作ボックス１０上に配置した引起し変速レバ−５３によって行えるように構成している。
【００２７】
従って、上記構成により、運転部から引起し変速が無段階に変速でき、引起しの条件適応性が向上することになる。タンク一体型のＨＳＴの冷却風を運転部側に排出しないので居住環境が極めてよくなる。また、刈取引起しで発生するホコリ等は機体左側方へ排風するので、衛生的環境のもとに作業を能率よく行うことができる。
【図面の簡単な説明】
【図１】本発明の実施例であって、コンバインの側面図である。
【図２】本発明の実施例であって、コンバインの平面図である。
【図３】本発明の実施例であって、コンバインの正面図である。
【図４】本発明の実施例であって、刈取部の一部の伝動経路を示す展開図である。
【図５】本発明の実施例であって、コンバインの側面図である。
【図６】本発明の実施例であって、コンバインの側面図である。
【図７】本発明の実施例であって、コンバインの側面図である。
【図８】本発明の実施例であって、制御ブロック図である。
【図９】本発明の実施例であって、コンバイン要部の側面図である。
【図１０】本発明の実施例であって、コンバインの平面図である。
【図１１】本発明の実施例であって、制御ブロック図である。
【図１２】本発明の実施例であって、コンバインの側面図である。
【図１３】本発明の実施例であって、同上コンバインの側面図である。
【図１４】本発明の実施例であって、制御ブロック図である。
【図１５】本発明の実施例であって、コンバイン要部の側面図である。
【図１６】本発明の実施例であって、同上要部の背面図である。
【図１７】本発明の実施例であって、制御ブロック図である。
【図１８】本発明の実施例であって、コンバインの側面図である。
【図１９】本発明の実施例であって、コンバインの正面図である。
【図２０】本発明の実施例であって、刈取部一部の伝動経路を示す展開図である。
【符号の説明】
１　　走行車体　　　　　　　　　　２　　走行クロ−ラ
３　　脱穀装置　　　　　　　　　　４　　刈取部
５　　分草具　　　　　　　　　　　６　　引起し装置
７　　第１刈刃（装置）　　　　　　８　　搬送装置
１５　　第２刈刃（装置）　　　　　１６　　支持ア−ム
１７　　油圧伸縮駆動装置　　　　　１８　　リンクア−ム
【図１】
2004065075.tif 000003
【図２】
2004065075.tif 000004
【図３】
2004065075.tif 000005
【図４】
2004065075.tif 000006
【図５】
2004065075.tif 000007
【図６】
2004065075.tif 000008
【図７】
2004065075.tif 000009
【図８】
2004065075.tif 000010
【図９】
2004065075.tif 000011
【図１０】
2004065075.tif 000012
【図１１】
2004065075.tif 000013
【図１２】
2004065075.tif 000014
【図１３】
2004065075.tif 000015
【図１４】
2004065075.tif 000016
【図１５】
2004065075.tif 000017
【図１６】
2004065075.tif 000018
【図１７】
2004065075.tif 000019
【図１８】
2004065075.tif 000020
【図１９】
2004065075.tif 000021
【図２０】
2004065075.tif 000022